(57)【要約】【課題】過去に時系列で記録／再生された一連の複数コンテンツの再生タイミングを設定することが可能なコンテンツ再生装置および記憶媒体を提供する。【解決手段】過去に時系列で記録又は再生された一連の複数コンテンツを特定する特定部と、前記特定部により特定された一連の複数コンテンツの時間方向の順序を示す順序情報を取得する取得部と、前記順序情報に応じた順序で再生される前記複数コンテンツのそれぞれの再生タイミングを設定する設定部と、前記設定部により設定された再生タイミングで、前記特定されたコンテンツを再生するよう制御する再生制御部と、を備える、コンテンツ再生装置。【選択図】図２
2014175821.tif 000002
【特許請求の範囲】
【請求項１】
過去に時系列で記録又は再生された一連の複数コンテンツを特定する特定部と、
前記特定部により特定された一連の複数コンテンツの時間方向の順序を示す順序情報を取得する取得部と、
前記順序情報に応じた順序で再生される前記複数コンテンツのそれぞれの再生タイミングを設定する設定部と、
前記設定部により設定された再生タイミングで、前記特定されたコンテンツを再生するよう制御する再生制御部と、
を備える、コンテンツ再生装置。
【請求項２】
前記設定部は、過去に時系列で記録又は再生された複数コンテンツの実際の時間間隔で再生タイミングを設定する、請求項１に記載のコンテンツ再生装置。
【請求項３】
前記設定部は、過去に時系列で記録又は再生された複数コンテンツの実際の時間間隔を伸縮した再生タイミングを設定する、請求項１に記載のコンテンツ再生装置。
【請求項４】
前記設定部は、前記複数コンテンツのなかの一部に再生タイミングを設定する、請求項１に記載のコンテンツ再生装置。
【請求項５】
前記コンテンツ再生装置は、前記設定部により設定された再生タイミングを、他のコンテンツ再生装置に送信する送信部をさらに備える、請求項１に記載のコンテンツ再生装置。
【請求項６】
前記複数コンテンツの実際の時間間隔は、過去に時系列で記録又は再生された一連の複数コンテンツに対応付けられた日程情報に基づく時間間隔である、請求項２に記載のコンテンツ再生装置。
【請求項７】
前記日程情報は、イベントの開催日程情報または放送番組の放送日程情報である、請求項６に記載のコンテンツ再生装置。
【請求項８】
コンピュータを、
過去に時系列で記録又は再生された一連の複数コンテンツを特定する特定部と、
前記特定部により特定された一連の複数コンテンツの時間方向の順序を示す順序情報を取得する取得部と、
前記順序情報に応じた順序で再生される前記複数コンテンツのそれぞれの再生タイミングを設定する設定部と、
前記設定部により設定された再生タイミングで、前記特定されたコンテンツを再生するよう制御する再生制御部と、
として機能させるためのプログラムが記憶された、記憶媒体。
【発明の詳細な説明】
【技術分野】
【０００１】
本開示は、コンテンツ再生装置および記憶媒体に関する。
【背景技術】
【０００２】
テレビ番組やラジオ番組、音楽、ドラマ等の各種コンテンツの提供に関し、様々な技術が知られている。
【０００３】
例えば、下記特許文献１では、テレビジョンまたはラジオ番組用の電子番組案内を与えるシステムにおいて、過去の番組のリストを画面に提示し、さらに過去の番組が将来再び利用可能であるか否かを示す技術が開示されている。
【０００４】
また、下記特許文献２では、コンテンツ取得要求に含まれる時間情報および付随情報に基づく条件を検索条件として、コンテンツ格納部に格納されているコンテンツを検索し、検索されたコンテンツをコンテンツ受信端末に送出するコンテンツ配信サーバが開示されている。
【０００５】
また、下記特許文献３では、ユーザの生年月日情報からユーザの各時代に対応する年代を特定し、画像コマの撮影年月日を特定する年月日情報をもとに画像コマを時代毎にグループ化し、次いで選択された時代に属する画像コマを読み出して、ディスプレイに表示する技術が開示されている。ＤＶＤ（Ｄｉｇｉｔａｌ  Ｖｅｒｓａｔｉｌｅ  Ｄｉｓｃ）などにおいて、ユーザの所望の画像コマを効率よく検索することができるという利点がある。
【先行技術文献】
【特許文献】
【０００６】
【特許文献１】特表２００４−５２４７６９号公報
【特許文献２】特開２００７−１１９２８号公報
【特許文献３】特開２００５−３１８３０号公報
【発明の概要】
【発明が解決しようとする課題】
【０００７】
しかしながら、上記特許文献１〜３では、オリンピック、ワールドカップ等の数日間にわたって開催されたイベント、または連続ドラマ、連続アニメ等の放送番組のシリーズといった、一連の複数コンテンツを、当時のタイムスケジュールを考慮して再現することについては言及されていない。
【０００８】
過去に開催されたイベントや過去に放送された番組を、当時のタイムスケジュールを考慮し、タイムインターバル（イベント中の競技実施間隔や、放送間隔）も含めて再現できれば、より臨場感を演出し、エンターテインメント性を向上させることができる。
【０００９】
そこで、本開示では、過去に時系列で記録／再生された一連の複数コンテンツの再生タイミングを設定することが可能な、新規かつ改良されたコンテンツ再生装置および記憶媒体を提案する。
【課題を解決するための手段】
【００１０】
本開示によれば、過去に時系列で記録又は再生された一連の複数コンテンツを特定する特定部と、前記特定部により特定された一連の複数コンテンツの時間方向の順序を示す順序情報を取得する取得部と、前記順序情報に応じた順序で再生される前記複数コンテンツのそれぞれの再生タイミングを設定する設定部と、前記設定部により設定された再生タイミングで、前記特定されたコンテンツを再生するよう制御する再生制御部と、を備える、コンテンツ再生装置が提供される。
【００１１】
また、本開示によれば、コンピュータを、過去に時系列で記録又は再生された一連の複数コンテンツを特定する特定部と、前記特定部により特定された一連の複数コンテンツの時間方向の順序を示す順序情報を取得する取得部と、前記順序情報に応じた順序で再生される前記複数コンテンツのそれぞれの再生タイミングを設定する設定部と、前記設定部により設定された再生タイミングで、前記特定されたコンテンツを再生するよう制御する再生制御部と、として機能させるためのプログラムが記憶された、記憶媒体が提供される。
【発明の効果】
【００１２】
以上説明したように本開示によれば、過去に時系列で記録／再生された一連の複数コンテンツの再生タイミングを設定することができる。
【図面の簡単な説明】
【００１３】
【図１】本開示の実施形態による再生システムを実現するコンテンツ再生装置の外観構成を示した説明図である。
【図２】第１の実施形態によるコンテンツ再生装置の内部構成を示すブロック図である。
【図３】コンテンツＤＢに格納される各種コンテンツの一例を示す図である。
【図４】実際の時間間隔に応じた再生タイミングの設定例について説明するための図である。
【図５】第１の実施形態によるコンテンツ再生装置が過去のイベントを再現する際の動作処理を示すフローチャートである。
【図６】第１の実施形態によるコンテンツ再生装置が過去の放送番組を再現する際の動作処理を示すフローチャートである。
【図７】第２の実施形態による再生システムの全体構成を示す図である。
【図８】第２の実施形態によるコンテンツ再生装置の構成を示すブロック図である。
【図９】第２の実施形態によるコンテンツ再生装置の再生タイミング設定処理について示すシーケンス図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００１６】
また、以下に示す項目順序に従って本開示を説明する。
１．再生システムの概要
２．第１の実施形態
２−１．第１の実施形態によるコンテンツ再生装置の構成
２−２．第１の実施形態によるコンテンツ再生装置の動作
３．第２の実施形態
４．まとめ
【００１７】
＜＜１．再生システムの概要＞＞
本開示による技術は、一例として「２．第１の実施形態」〜「３．第２の実施形態」において詳細に説明するように、多様な形態で実施され得る。また、コンテンツ再生装置としての機能を含む各実施形態によるコンテンツ再生装置１０は、
Ａ．過去に時系列で記録又は再生された一連の複数コンテンツを特定する特定部（コンテンツ特定部１２）と、
Ｂ．前記特定部により特定された一連の複数コンテンツの時間方向の順序を示す順序情報を取得する取得部（順序情報取得部１４）と、
Ｃ．前記順序情報に応じた順序で再生される前記複数コンテンツのそれぞれの再生タイミングを設定する設定部（再生タイミング設定部１５）と、
Ｄ．前記設定部により設定された再生タイミングで、前記特定されたコンテンツを再生するよう制御する再生制御部（再生制御部１６）と、
を備える。
【００１８】
以下では、まず、このような各実施形態において共通する再生システムの概要について図１を参照して説明する。
【００１９】
図１は、本開示の実施形態による再生システムを実現するコンテンツ再生装置１０の外観構成を示した説明図である。図１に示したように、本開示の実施形態による再生システムは、コンテンツ再生装置１０により実現される。
【００２０】
図１に示したように、コンテンツ再生装置１０は、画像が表示される表示部１７および音声信号が出力されるスピーカ１８を備える。コンテンツ再生装置１０は、画像データ（動画／静止画データ）やオーディオ信号データ等のコンテンツを、ユーザの指示に応じて表示部１７およびスピーカ１８から再生するよう制御する。再生されるコンテンツは、コンテンツ再生装置１０に格納されていてもよいし、外部から取得されてもよい。
【００２１】
なお、図１では、コンテンツ再生装置１０の一例として、家庭用テレビジョン装置（表示制御装置）を図示したが、コンテンツ再生装置１０はかかる例に限定されない。例えば、コンテンツ再生装置１０は、ＰＣ（Ｐｅｒｓｏｎａｌ  Ｃｏｍｐｕｔｅｒ）、家庭用映像処理装置（ＢＤ（Ｂｌｕ−ｒａｙ  Ｄｉｓｃ）レコーダ、ＤＶＤレコーダ、ビデオデッキなど）、家庭用オーディオ装置（ラジオ、ラジオカセットレコーダ、ＩＣレコーダ、携帯用音楽端末、システムステレオなど）、ＰＤＡ（Ｐｅｒｓｏｎａｌ  Ｄｉｇｉｔａｌ  Ａｓｓｉｓｔａｎｔｓ）、家庭用ゲーム機器、携帯電話、スマートフォン、携帯用映像処理装置、携帯用ゲーム機器などの情報処理装置であってもよい。
【００２２】
（背景）
ここで、過去に記録または放送された映像コンテンツや音声コンテンツを再生する際、通常、視聴したいコンテンツをユーザが選び、ユーザの好きなタイミングで再生開始が指示されていた。例えば、複数日にわたって開催された過去のイベントの映像コンテンツや、一定期間にわたって放送され続けたシリーズ番組の映像コンテンツも、ユーザの好きなタイミングで再生開始が指示されていた。
【００２３】
しかしながら、このようなユーザが行う再生のタイミングは、過去のイベントの日程やシリーズ番組の放送日時等とは全く関係ないものであった。過去のイベントとしては、例えばオリンピック、世界選手権、プロ野球の日本シリーズ、高校野球の大会、大相撲本場所、箱根駅伝等のスポーツ大会や、音楽コンサート、大食い選手権、パリダカールラリー等が挙げられる。このようなイベントの映像コンテンツが、当時のイベント日程と同様のタイミングで再生されれば、ユーザは、生放送でイベントを見ているかのような臨場感を味わうことができる。
【００２４】
また、過去のシリーズ番組としては、例えば毎日または毎週同一時間帯に放送されていた連続ドラマや連続アニメ、放送大学等による講座番組、ラジオ番組等が挙げられる。このようなシリーズ番組の映像コンテンツが、当時の放送日程と同様のタイミングで、例えば毎日または毎週同一時間帯で再生されれば、ユーザは、当時と同じ曜日・時間帯で見ることにより、懐かしさが増し、より臨場感を味わうことができる。
【００２５】
そこで、上記事情を一着眼点にして本開示の各実施形態によるコンテンツ再生装置１０を創作するに至った。本開示の各実施形態によるコンテンツ再生装置１０は、ユーザに指定されたイベントや過去の放送番組のシリーズ等の映像データ（一連のコンテンツ）を、イベントの日程や当時の放送スケジュールに応じた間隔で再生することが可能である。以下、このような本開示の各実施形態によるコンテンツ再生装置１０について順次詳細に説明する。
【００２６】
＜＜２．第１の実施形態＞＞
＜２−１．第１の実施形態によるコンテンツ再生装置の構成＞
図２は、第１の実施形態によるコンテンツ再生装置１０の内部構成を示すブロック図である。図２に示したように、第１の実施形態によるコンテンツ再生装置１０は、操作入力部１１、コンテンツ特定部１２、コンテンツＤＢ（データベース）１３、順序情報取得部１４、再生タイミング設定部１５、再生制御部１６、表示部１７、およびスピーカ１８を備える。なお表示部１７およびスピーカ１８については、図１を参照して説明したので、ここでの説明は省略する。
【００２７】
（操作入力部）
操作入力部１１は、ユーザ操作を検出し、入力データとしてコンテンツ特定部１２に出力する。例えば、操作入力部１１は、ユーザが操作するリモートコントローラ（不図示）からの赤外線通信を受信し、ユーザ操作を検出する。
【００２８】
（コンテンツ特定部）
コンテンツ特定部１２は、ユーザ指示に応じて再生するコンテンツを特定し、特定したコンテンツを順序情報取得部１４に供給する。特定するコンテンツは、コンテンツＤＢ１３に格納されているコンテンツから抽出されてもよいし、外部から取得されてもよい。コンテンツ特定部１２が特定するコンテンツは、過去に時系列で記録又は再生された一連の複数コンテンツであって、例えば複数日にわたって開催されたイベントの映像コンテンツ、一定期間にわたって放送された番組の映像コンテンツである。イベントの映像コンテンツには、ホームビデオでの録画データも含まれる。例えばユーザから「東京オリンピック」の再生が指示された場合、コンテンツ特定部１２は、東京オリンピックにおいて行われた開会式や各競技の映像コンテンツを特定する。
【００２９】
（コンテンツＤＢ）
コンテンツＤＢ１３は、コンテンツ再生装置１０により再生され得る各種コンテンツを格納する。各種コンテンツとは、上述したように、過去に時系列で記録又は再生された一連の複数コンテンツを含み、例えば過去に行われたイベントを撮影した映像／音声コンテンツや、過去に放送された番組の映像／音声コンテンツである。また、各種コンテンツには、イベントの開催日程情報やシリーズ番組の放送日程情報等を示す日程情報が対応付けられている。
【００３０】
ここで、コンテンツＤＢ１３に格納される各種コンテンツの一例について、図３を参照して説明する。図３に示すように、コンテンツＤＢ１３には、一連の複数コンテンツの総称（タイトル）１３１、一連の複数コンテンツ１３２、および日程情報１３３が対応付けて格納されている。
【００３１】
例えば「東京オリンピック」（総称１３１ａ）として、過去の東京オリンピックで開催された競技１〜競技２０の各映像コンテンツ（一連の複数コンテンツ１３２ａ）と、東京オリンピックの開催日程（日程情報１３３ａ）が格納されている。日程情報１３３ａは、東京オリンピックの開催日時や、開催何日目にどの競技が何時から行われたか等の大会スケジュール情報を含む。
【００３２】
また「○○マラソン」（総称１３１ｂ）として、大会で行われた往路のマラソンと復路のマラソンの各映像コンテンツ（一連の複数コンテンツ１３２ｂ）と、大会の開催日程（日程情報１３３ｂ）が格納されている。日程情報１３３ｂは、大会の開催日時や、１日目何時から往路マラソンが行われ、２日目何時から復路マラソンが行われたか等の大会スケジュール情報を含む。
【００３３】
また「□□ドラマ−シリーズ１」（総称１３１ｃ）として、過去に放送されたシリーズ番組の第１話〜第８話の各映像コンテンツ（一連の複数コンテンツ１３２ｃ）と、かかる放送の日程（日程情報１３３ｃ）が格納されている。日程情報１３３ｃは、「□□ドラマ−シリーズ１」が、毎週金曜２０時から放送されていた等の放送日程情報を含む。
【００３４】
また「□□ドラマ−シリーズ２」（総称１３１ｄ）として、過去に放送されたシリーズ番組の第１話〜第６話の各映像コンテンツ（一連の複数コンテンツ１３２ｄ）と、かかる放送の日程（日程情報１３３ｄ）が格納されている。日程情報１３３ｄは、「□□ドラマ−シリーズ２」が、「□□ドラマ−シリーズ１」と同じく、毎週金曜２０時から放送されていた等の放送日程情報を含む。
【００３５】
（順序情報取得部）
順序情報取得部１４は、コンテンツ特定部１２により特定された一連の複数コンテンツの時間方向の順序を示す順序情報を取得する。順序情報は、一連の複数コンテンツにそれぞれ付加された時間のタイムスタンプや、時系列上の順番を示す番号であってもよい。例えばシリーズ番組として過去に放送された各放送回の映像コンテンツが一連の複数コンテンツとして特定された場合、順序情報取得部１４は、映像コンテンツのタイトルに含まれる話数や番号に基づいて、時間方向の順序を取得する。
【００３６】
また、順序情報取得部１４は、順序情報を、一連の複数コンテンツに対応付けられた日程情報に基づいて取得することもできる。例えば、東京オリンピックで開催された競技の各映像コンテンツが一連の複数コンテンツとして特定された場合、順序情報取得部１４は、日程情報１３３ａに基づいて、大会中に順次開催された競技の順序を取得することができる。
【００３７】
（再生タイミング設定部）
再生タイミング設定部１５は、順序情報取得部１４が取得した順序情報に応じた順序で再生される一連の複数コンテンツのそれぞれの再生タイミングを設定する。より具体的には、再生タイミング設定部１５は、一連の複数コンテンツに対応付けられた日程情報（イベントの開催日程情報や放送番組の放送日程等）を参照して、実際の時間間隔に応じて、再生タイミングを設定する。ここで、図４を参照して再生タイミングの設定例について説明する。
【００３８】
図４は、実際の時間間隔に応じた再生タイミングの設定例について説明するための図である。図４上には、実際に過去のイベントが３日間にわたって行われた場合におけるイベント開催日程を示す。例えばスポーツ大会が開催された場合、１日目に競技Ｋ１、２日目に競技Ｋ２、Ｋ３、３日目に競技Ｋ４が行われたことを示す。このようなイベント開催日程は、一連の複数コンテンツに対応付けられてコンテンツＤＢ１３に格納されている日程情報１３３に基づいて取得される。
【００３９】
そして、再生タイミング設定部１５は、例えば過去に時系列で記録又は再生された複数コンテンツの実際の時間間隔と同じ時間間隔で再生タイミングを設定する。具体的には、図４中央に示すように、競技Ｋ１〜Ｋ４を記録した各映像コンテンツＣ１〜Ｃ４の再生タイミングを、図４上に示す実際の時間間隔と同様に設定する。
【００４０】
また、再生タイミング設定部１５は、過去の時系列と同じ時間帯に各映像コンテンツＣ１〜Ｃ４の再生タイミングを設定することができる。この場合、再生タイミング設定部１５は、イベントが開催された国と、現在ユーザが居る国との時差を考慮した再生タイミングで設定してもよいし、時差を考慮せずに再生タイミングを設定してもよい。
【００４１】
一方、映像コンテンツＣ１の再生開始時間がユーザによるイベント再現開始指示時であって、実際の開催時間と異なってもよい。この場合、再生タイミング設定部１５は、映像コンテンツＣ２の再生タイミングを、映像コンテンツＣ１の再生終了後、時間間隔Ｉ１の経過後に設定する。時間間隔Ｉ１は、図４上に示す競技Ｋ１と競技Ｋ２の実際の時間間隔と同様である。以降、再生タイミング設定部１５は、映像コンテンツＣ３の再生タイミングを時間間隔Ｉ２の経過後、映像コンテンツＣ４の再生タイミングを時間間隔Ｉ３の経過後に設定する。このように、実際の競技間のインターバルと同じ時間間隔を設けることで、ユーザは、生放送で見ているかのように感じ、イベントを楽しむことができる。
【００４２】
また、再生タイミング設定部１５は、毎週金曜２０時から放送されていたシリーズ番組であれば、同様に毎週金曜２０時を再生タイミングとして設定する。ここで、シリーズ番組の映像コンテンツに、当時のＣＭ（Ｃｏｍｍｅｒｃｉａｌ  Ｍｅｓｓａｇｅ）映像コンテンツが対応付けられている場合、再生タイミング設定部１５は、シリーズ番組の映像コンテンツの前後または途中にＣＭ映像コンテンツの再生タイミングを設定してもよい。これにより、ユーザは、昔と同じ曜日、同じ時間帯に昔の放送番組を見ることで懐かしさを感じ、さらに当時のＣＭ映像が放送番組の前後や途中に再生されると懐かしさが増し、昔の放送番組をより楽しむことができる。
【００４３】
以上説明した例は、過去の時系列をそのまま再現しているが、本実施形態による再生タイミングの設定はこれに限定されず、例えば過去の時系列を短縮した再生タイミングの設定であってもよい。例えば、図４上に示すように３日間にわたって開催されたイベントを、２日間で再現する場合、再生タイミング設定部１５は、各競技間の時間間隔Ｉ１〜Ｉ３を同じ割合で短縮し、各競技の映像コンテンツＣ１〜Ｃ４の再生タイミングを設定する。具体的には、図４下に示すように、競技Ｋ１〜Ｋ４を記録した各映像コンテンツＣ１〜Ｃ４の再生タイミングを、図４上に示す実際の時間間隔Ｉ１〜Ｉ３をそれぞれ短縮した時間間隔Ｉ１’〜Ｉ３’で設定する。
【００４４】
このように、再生タイミング設定部１５において過去に時系列で記録又は再生された複数コンテンツの実際の時間間隔を短縮した再生タイミングを設定することにより、ユーザは、実際の日程より少ない日数であっても当時の日程（時系列）の順序でイベントを楽しむことができ、利便性が向上する。
【００４５】
なお再生タイミング設定部１５は、時間間隔を短縮した再生タイミングの設定の他、時間間隔を伸長して再生タイミングを設定することも可能である。これにより、ユーザは、実際の日程より長い期間、過去のイベントを楽しむことができ、利便性が向上する。
【００４６】
また、再生タイミング設定部１５は、ユーザのスケジュール情報を参照して再生タイミングを設定する時間間隔を部分的に短縮または伸長してもよい。例えば、毎週所定の曜日の所定の時間からシリーズ番組を再生する場合、再生タイミング設定部１５は、通常次回の再生タイミングを一週間後に設定するが、一週間後にユーザが外出する予定である場合、例外的にさらに一週間後に伸ばして再生タイミングを設定する。
【００４７】
また、再生タイミング設定部１５は、一連の複数コンテンツのなかの一部に再生タイミングを設定することもできる。例えば一定期間にわたって行われるプロ野球によるペナントレース（リーグ戦）を再現する際、再生タイミング設定部１５は、ユーザの嗜好に応じて、ユーザの好きなチームが勝った試合の映像コンテンツに再生タイミングを設定する。例えば図４に示す映像コンテンツＣ１〜Ｃ４のうち、映像コンテンツＣ２、Ｃ４が、勝ち試合の映像コンテンツであれば、再生タイミング設定部１５は、実際の時間間隔に応じて、２日目に映像コンテンツＣ２、３日目に映像コンテンツＣ４の再生タイミングを設定する。これによりユーザは、過去のイベントのうち所定の部分だけを楽しむことができ、利便性が向上する。
【００４８】
（再生制御部）
再生制御部１６は、再生タイミング設定部１５により設定された再生タイミングで、コンテンツ特定部１２により特定されたコンテンツを再生するよう制御する。具体的には、再生制御部１６は、コンテンツ特定部１２により特定された映像コンテンツを、再生タイミング設定部１５により設定されたタイミングに従って表示部１７に表示するよう制御する。また、再生制御部１６は、コンテンツ特定部１２により特定された音声コンテンツを、再生タイミング設定部１５により設定されたタイミングに従ってスピーカ１８から出力するよう制御する。
【００４９】
＜２−２．第１の実施形態によるコンテンツ再生装置の動作＞
以上、第１の実施形態によるコンテンツ再生装置１０の構成を説明した。続いて、図５および図６を参照し、第１の実施形態によるコンテンツ再生装置１０の動作を説明する。
【００５０】
図５は、第１の実施形態によるコンテンツ再生装置１０が過去のイベントを再現する際の動作処理を示すフローチャートである。図５に示すように、まず、ステップＳ１０３において、操作入力部１１は、ユーザ操作を検出し、ユーザによる過去のイベントの指定を受け付ける。過去のイベントとは、過去に複数日にわたって開催されたイベントであって、例えば東京オリンピック、札幌冬季オリンピック、長野冬季オリンピック、米国大リーグワールドシリーズ、ＦＩＦＡワールドカップ・南アフリカ共和国大会決勝リーグなどである。
【００５１】
次いで、ステップＳ１０６において、コンテンツ特定部１２は、ユーザに指定されたイベントを撮影した一連の複数の映像コンテンツを特定し、コンテンツＤＢ１３から抽出する。
【００５２】
次に、ステップＳ１０９において、再生タイミング設定部１５は、順序情報取得部１４が取得した順序情報に応じた順序で再生される一連の複数コンテンツのそれぞれの再生タイミングを設定するために、特定したイベントの開催日程（日程情報１３３）を取得する。日程情報１３３は、一連の複数コンテンツに対応付けられてコンテンツＤＢ１３に格納されている。
【００５３】
次いで、ステップＳ１１２において、再生タイミング設定部１５は、直ちにイベント再現を開始するか否かを判断する。例えば実際の日程と同時刻に再現する設定がされている場合、再生タイミング設定部１５は、実際の日程と現在時刻を比較し、直ちにイベント再現を開始できるか否かを判断する。また、実際の日程と同時刻でなくともよい設定がされている場合、再生タイミング設定部１５は、直ちにイベント再現を開始できると判断する。
【００５４】
直ちにイベント再現を開始しない場合（Ｓ１１２／Ｎｏ）、ステップＳ１１５において、再生タイミング設定部１５は、イベント再生開始日時を予約設定する。
【００５５】
一方、直ちにイベント再現を開始する場合（Ｓ１１２／Ｙｅｓ）、ステップＳ１１８において、再生タイミング設定部１５は、再生タイミングを伸縮するか否かを判断する。再生タイミングの伸縮は、ユーザ指示に応じて判断されてもよい。例えばユーザから１週間以内で再現したいとの指示があった場合、再生タイミング設定部１５は、再現するイベントの日程が１週間以上の場合は短縮すると判断し、１週間以内の場合は伸縮しないと判断する。また、例えばユーザから丁度１カ月で再現したいとの指示があった場合、再生タイミング設定部１５は、再現するイベントの日程が１カ月以内の場合は１カ月に伸長すると判断する。
【００５６】
伸縮しない場合（Ｓ１１８／Ｎｏ）、ステップＳ１２１において、再生タイミング設定部１５は、日程情報１３３に基づく実際の時間間隔と同様の時間間隔で再生タイミングを設定する。そして、再生制御部１６は、再生タイミング設定部１５により設定された再生タイミングに従って、イベント再現、すなわち映像コンテンツの再生を開始する。
【００５７】
一方、伸縮する場合（Ｓ１１８／Ｙｅｓ）、ステップＳ１２４において、再生タイミング設定部１５は、日程情報１３３に基づく実際の時間間隔を所定の割合で伸縮（伸長または短縮）した時間間隔で再生タイミングを設定する。そして、再生制御部１６は、再生タイミング設定部１５により設定された再生タイミングに従って、イベント再現、すなわち映像コンテンツの再生を開始する。
【００５８】
以上、本実施形態によるコンテンツ再生装置１０が過去のイベントを再現する際の動作処理について具体的に説明した。次に、図６を参照して本実施形態による他の動作処理について説明する。
【００５９】
図６は、第１の実施形態によるコンテンツ再生装置１０が過去の放送番組を再現する際の動作処理を示すフローチャートである。図６に示すように、まず、ステップＳ２０３において、操作入力部１１は、ユーザ操作を検出し、ユーザによる過去の放送番組の指定を受け付ける。過去の放送番組とは、過去に一定期間にわたって毎日または毎週等、定期的に放送されたシリーズ番組である。
【００６０】
次いで、ステップＳ２０６において、コンテンツ特定部１２は、ユーザに指定された放送番組の一連の複数の映像コンテンツ（具体的にはシリーズ番組に含まれる各放送回の映像コンテンツ）を特定し、コンテンツＤＢ１３から抽出する。
【００６１】
次に、ステップＳ２０９において、再生タイミング設定部１５は、順序情報取得部１４が取得した順序情報に応じた順序で再生される一連の複数コンテンツのそれぞれの再生タイミングを設定するために、特定した放送番組の放送日程（日程情報１３３）を取得する。日程情報１３３は、一連の複数コンテンツに対応付けられてコンテンツＤＢ１３に格納されている。
【００６２】
次いで、ステップＳ２１２において、再生タイミング設定部１５は、直ちに放送番組の再現を開始するか否かを判断する。例えば実際の日程（曜日、時刻、日付）と同じ日程に再現する設定がされている場合、再生タイミング設定部１５は、実際の日程と、現在の曜日や時刻、日付を比較し、直ちに放送番組の再現を開始できるか否かを判断する。また、実際の日程と同じ日程でなくともよい設定がされている場合、再生タイミング設定部１５は、直ちに放送番組の再現を開始できると判断する。
【００６３】
直ちに放送番組の再現を開始しない場合（Ｓ２１２／Ｎｏ）、ステップＳ２１５において、再生タイミング設定部１５は、放送番組の再生開始日時を予約設定する。
【００６４】
一方、直ちに放送番組の再現を開始する場合（Ｓ２１２／Ｙｅｓ）、ステップＳ２１８において、再生タイミング設定部１５は、再生タイミングを伸縮するか否かを判断する。再生タイミングの伸縮は、ユーザ指示に応じて判断されてもよい。例えばユーザから「毎日」再現したいとの指示があった場合、再生タイミング設定部１５は、再現するシリーズ番組の日程が「毎週」の場合は「毎日」に短縮すると判断し、再現するシリーズ番組の日程が「毎週」の場合は伸縮しないと判断する。また、例えばユーザから隔週で再現したいとの指示があった場合、再生タイミング設定部１５は、再現するシリーズ番組の日程が「毎週」の場合は「隔週」に伸長すると判断する。
【００６５】
伸縮しない場合（Ｓ２１８／Ｎｏ）、ステップＳ２２１において、再生タイミング設定部１５は、日程情報１３３に基づく実際の時間間隔と同様の時間間隔で再生タイミングを設定する。例えば毎週１回の放送日程の場合、再生タイミング設定部１５は、まず第１回目の放送番組（映像コンテンツ）を再生開始し、開始１週間後を、第２回目の放送番組の再生タイミングとして設定する。そして、再生制御部１６は、再生タイミング設定部１５により設定された再生タイミングに従って、放送番組の再現、すなわち映像コンテンツの再生を開始する。
【００６６】
一方、伸縮する場合（Ｓ２１８／Ｙｅｓ）、ステップＳ２２４において、再生タイミング設定部１５は、日程情報１３３に基づく実際の時間間隔を所定の割合で伸縮（伸長または短縮）した時間間隔で再生タイミングを設定する。例えば毎週１回の放送日程を毎日１回に短縮する場合、再生タイミング設定部１５は、まず第１回目の放送番組（映像コンテンツ）を再生開始し、開始１日後を、第２回目の放送番組の再生タイミングとして設定する。そして、再生制御部１６は、再生タイミング設定部１５により設定された再生タイミングに従って、放送番組の再現、すなわち映像コンテンツの再生を開始する。
【００６７】
＜＜３．第２の実施形態＞＞
以上、本開示の第１の実施形態を説明した。続いて、本開示の第２の実施形態を説明する。
【００６８】
＜３−１．再生システムの全体構成＞
図７は、第２の実施形態による再生システムの全体構成を示す図である。図７に示すように、再生システムは、複数のコンテンツ再生装置１０’Ａ〜１０’Ｃから成る。各コンテンツ再生装置１０’Ａ〜１０’Ｃは、ネットワーク３０を介して互いに接続され、ソーシャルネットワークを構築可能である。各コンテンツ再生装置１０’Ａ〜１０’Ｃは、表示部１７Ａ〜１７Ｃに、イベントやシリーズ番組の映像コンテンツを表示することで、イベントやシリーズ番組を再現することができる。
【００６９】
このようなシステム構成において、各コンテンツ再生装置１０’Ａ〜１０’Ｃが、同じイベントやシリーズ番組を、同じ時間間隔で再現することで、複数人で一緒に昔のイベントや放送番組を楽しむことができ、コンテンツ再生装置の利便性やエンターテインメント性が向上する。また、各ユーザ間で感想を共有できるようにすることで、コンテンツ再生装置の利便性やエンターテインメント性がさらに向上する。
【００７０】
＜３−２．第２の実施形態によるコンテンツ再生装置の構成＞
図８は、第２の実施形態によるコンテンツ再生装置１０’の構成を示した説明図である。図８に示したように、第２の実施形態によるコンテンツ再生装置１０’は、操作入力部１１、コンテンツ特定部１２、コンテンツＤＢ１３、順序情報取得部１４、再生タイミング設定部１５、再生制御部１６、表示部１７、スピーカ１８、および通信部１９を備える。なお、操作入力部１１、コンテンツ特定部１２、コンテンツＤＢ１３、順序情報取得部１４、再生タイミング設定部１５、再生制御部１６、表示部１７、およびスピーカ１８については「２．第１の実施形態」で説明した通りであるので、ここでの詳細な説明を省略する。
【００７１】
第２の実施形態によるコンテンツ再生装置１０’は、ユーザに指定された過去のイベント等の一連の複数コンテンツの再生タイミングを、他のコンテンツ再生装置１０’と共有することで、複数のコンテンツ再生装置１０’により同じタイミングで過去のイベント等を再現することができる。具体的には、コンテンツ再生装置１０’の再生タイミング設定部１５により設定された再生タイミングを、通信部１９が、ネットワーク３０を介して他のコンテンツ再生装置１０’に送信する。
【００７２】
一方、通信部１９は、ネットワーク３０を介して他のコンテンツ再生装置１０’により設定された再生タイミングを受信することもできる。この場合、再生制御部１６は、通信部１９が受信した再生タイミングにしたがって、一連の複数コンテンツを再生するよう制御する。
【００７３】
このように、第２の実施形態によるコンテンツ再生装置１０’は、通信部１９を備えることで、複数のコンテンツ再生装置１０’間で再生タイミングを共有することができる。なお各コンテンツ再生装置１０’で再生される一連の複数コンテンツは、コンテンツ特定部１２により特定され、各コンテンツ再生装置１０’のコンテンツＤＢ１３または外部から抽出される。
【００７４】
＜３−３．第２の実施形態によるコンテンツ再生装置の動作＞
次に、図９を参照して本実施形態の動作処理について説明する。図９は、第２の実施形態によるコンテンツ再生装置１０’の再生タイミング設定処理について示すシーケンス図である。
【００７５】
図９に示すように、まず、ステップＳ３０３において、コンテンツ再生装置１０’Ａの再生タイミング設定部１５は、一連の複数コンテンツの再生タイミングの設定を行う。再生タイミングの設定については、「２．第１の実施形態」で説明した通りであるので、ここでの詳細な説明は省略する。
【００７６】
次いで、ステップＳ３０６において、コンテンツ再生装置１０’Ａの通信部１９は、設定した再生タイミングを、ネットワーク３０を介して他のコンテンツ再生装置１０’Ｂ、１０’Ｃに送信する。
【００７７】
次に、ステップＳ３０９において、コンテンツ再生装置１０’Ａの再生制御部１６は、再生タイミング設定部１５により設定された再生タイミングに従って、イベント等の再現、すなわち映像コンテンツの再生を開始する。
【００７８】
次いで、ステップＳ３１２において、コンテンツ再生装置１０’Ｂ、１０’Ｃの再生制御部１６は、コンテンツ再生装置１０’Ａから受信した再生タイミングに従って、イベント等の再現、すなわち映像コンテンツの再生を開始する。
【００７９】
＜＜４．むすび＞＞
以上説明したように、本開示の実施形態によれば、ユーザが指定した過去のイベントや放送番組の日程情報に基づく実際の時間間隔に応じた時間間隔で、過去のイベントや放送番組の再生タイミングを自動的に設定し、設定した再生タイミングでイベントや放送番組を再現することができる。これにより、ユーザは、生放送でイベントを見ているかのような臨場感を味わうことができる。また、昔と同じ曜日・時間帯でシリーズ番組が定期的に再生されることにより、懐かしさが増し、一定期間の間、臨場感のある日々を送ることができる。
【００８０】
また、実際の時間間隔に応じた時間間隔は、実際の時間間隔と同じ時間間隔であってもよいし、短縮または伸長した時間間隔であってもよい。これにより、ユーザの都合に合わせて再現期間を調整することができるので、コンテンツ再生装置１０の利便性が向上する。
【００８１】
さらに、本開示の実施形態によれば、イベントや放送番組の再生タイミングを、複数のコンテンツ再生装置で共有することができるので、複数人で一緒に昔のイベントや放送番組を楽しむことができ、コンテンツ再生装置の利便性やエンターテインメント性が向上する。
【００８２】
なお、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００８３】
例えば、本明細書のコンテンツ再生装置１０の処理における各ステップは、必ずしもフローチャートとして記載された順序に沿って時系列に処理する必要はない。例えば、コンテンツ再生装置１０の処理における各ステップは、フローチャートとして記載した順序と異なる順序で処理されても、並列的に処理されてもよい。
【００８４】
また、コンテンツ再生装置１０に内蔵されるＣＰＵ、ＲＯＭおよびＲＡＭなどのハードウェアを、上述したコンテンツ再生装置１０の各構成と同等の機能を発揮させるためのコンピュータプログラムも作成可能である。また、該コンピュータプログラムを記憶させた記憶媒体も提供される。
【００８５】
また、以下のような構成も本開示の技術的範囲に属する。
（１）
過去に時系列で記録又は再生された一連の複数コンテンツを特定する特定部と、
前記特定部により特定された一連の複数コンテンツの時間方向の順序を示す順序情報を取得する取得部と、
前記順序情報に応じた順序で再生される前記複数コンテンツのそれぞれの再生タイミングを設定する設定部と、
前記設定部により設定された再生タイミングで、前記特定されたコンテンツを再生するよう制御する再生制御部と、
を備える、コンテンツ再生装置。
（２）
前記設定部は、過去に時系列で記録又は再生された複数コンテンツの実際の時間間隔で再生タイミングを設定する、前記（１）に記載のコンテンツ再生装置。
（３）
前記設定部は、過去に時系列で記録又は再生された複数コンテンツの実際の時間間隔を伸縮した再生タイミングを設定する、前記（１）に記載のコンテンツ再生装置。
（４）
前記設定部は、前記複数コンテンツのなかの一部に再生タイミングを設定する、前記（１）〜（３）のいずれか１項に記載のコンテンツ再生装置。
（５）
前記コンテンツ再生装置は、前記設定部により設定された再生タイミングを、他のコンテンツ再生装置に送信する送信部をさらに備える、前記（１）〜（４）のいずれか１項に記載のコンテンツ再生装置。
（６）
前記複数コンテンツの実際の時間間隔は、過去に時系列で記録又は再生された一連の複数コンテンツに対応付けられた日程情報に基づく時間間隔である、前記（２）または（３）に記載のコンテンツ再生装置。
（７）
前記日程情報は、イベントの開催日程情報または放送番組の放送日程情報である、前記（６）に記載のコンテンツ再生装置。
（８）
コンピュータを、
過去に時系列で記録又は再生された一連の複数コンテンツを特定する特定部と、
前記特定部により特定された一連の複数コンテンツの時間方向の順序を示す順序情報を取得する取得部と、
前記順序情報に応じた順序で再生される前記複数コンテンツのそれぞれの再生タイミングを設定する設定部と、
前記設定部により設定された再生タイミングで、前記特定されたコンテンツを再生するよう制御する再生制御部と、
として機能させるためのプログラムが記憶された、記憶媒体。
【符号の説明】
【００８６】
１０、１０’    コンテンツ再生装置
１１    操作入力部
１２    コンテンツ特定部
１３    コンテンツＤＢ
１４    順序情報取得部
１５    再生タイミング設定部
１６    再生制御部
１７    表示部
１８    スピーカ
１９    通信部
１３１    一連の複数コンテンツの総称
１３２    一連の複数コンテンツ
１３３    日程情報
【図１】
2014175821.tif 000003
【図２】
2014175821.tif 000004
【図３】
2014175821.tif 000005
【図４】
2014175821.tif 000006
【図５】
2014175821.tif 000007
【図６】
2014175821.tif 000008
【図７】
2014175821.tif 000009
【図８】
2014175821.tif 000010
【図９】
2014175821.tif 000011